(57)【要約】【課題】使用者が湯の吐出領域を明確に認識できて、節湯が可能になるシングルレバー水栓を提供すること【解決手段】シングルレバー水栓の操作レバー４１が回動範囲の中央位置Ｃと右側の領域とに位置したときに水が、回動範囲の左側の領域に位置したときに湯水混合水が吐出される。また、操作レバー４１が湯水混合水の領域の外側に位置したときに湯が吐出される。前記操作レバー４１の水吐出領域と混合水吐出領域の角度範囲を等しくし、操作レバーが混合水吐出領域と湯吐出領域との間の境界を越える際にクリック感が発生されるようにした。【選択図】図１３
2015227534.tif 000002
【特許請求の範囲】
【請求項１】
操作レバーが左右方向における回動範囲の中央位置と一側の水吐出領域とに位置したときに水が、前記回動範囲の他側の混合水吐出領域に位置したときに湯水混合水が、操作レバーが前記水吐出領域の反対側であって前記混合水吐出領域の外側に位置したときに湯がそれぞれ吐出されるように流路を設定するための弁機構を設けたシングルレバー水栓において、
前記水吐出領域と混合水吐出領域の角度範囲を等しくし、前記操作レバーが混合水吐出領域と湯吐出領域との間の境界を越える際にクリック感を発生させるためのクリック手段を設けたシングルレバー水栓。
【請求項２】
前記クリック手段は、操作レバーが前記水吐出領域と前記混合水吐出領域との間の境界を越える際にクリック感を発生するようにした請求項１に記載のシングルレバー水栓。
【請求項３】
前記水吐出領域と混合水吐出領域との間の境界を使用者の正面側に配置した請求項２に記載のシングルレバー水栓。
【請求項４】
操作レバーが吐水量最多領域に達したときにクリック感を発生させるサブクリック手段を設けた請求項１〜３のうちのいずれか一項に記載のシングルレバー水栓。
【請求項５】
前記水吐出領域及び前記混合水吐出領域は操作レバーの中心角４０度〜５０度の範囲内であり、前記湯吐出領域は操作レバーの中心角５度〜２０度の範囲内である請求項１〜４のうちのいずれか一項に記載のシングルレバー水栓。
【発明の詳細な説明】
【技術分野】
【０００１】
本発明は、１つの操作レバーにより水、湯、及び湯水混合水を吐出できるようにしたシングルレバー水栓に関するものである。
【背景技術】
【０００２】
この種のシングルレバー水栓においては、操作レバーの操作によって作動される弁機構が搭載されている。そして、操作レバーによって弁機構の可動弁体を固定弁体に対して相対移動させることにより、水（冷水）、湯及び水と湯との混合水のいずれかが吐出されるとともに、その吐出量が調整される。通常、操作レバーが右端位置にあるときには、水が吐出され、操作レバーが左端位置にあるときには、湯が吐出され、操作レバーが左右両端位置の間にあるときには、湯水混合水が吐出される。操作レバーの手前側と奥側との間における上下方向の回動操作により、吐水・止水及び吐水量の調節が行われる。
【０００３】
特許文献１においては、操作レバーがあらかじめ決められた領域を通る際に使用者に対してクリック感が与えられる手段を設けて、シングルレバー水栓の使用者が湯水の混合度合や吐水量を認識できるようにしている。
【先行技術文献】
【特許文献】
【０００４】
【特許文献１】特開２０１２−１３２１６１号公報
【発明の概要】
【発明が解決しようとする課題】
【０００５】
ところが、特許文献１に記載のシングルレバー水栓においては、操作レバーの左右方向の操作範囲の中央部において湯水混合水が吐出される。使用者は無意識に操作レバーを左右方向の中央部において操作することが多い。このため、湯が不要な場合にも、給湯が行なわれるため、給湯エネルギー浪費の原因になるおそれがある。また、水吐出領域の左右対称位置に湯吐出領域が設けられているため、操作レバーを水吐出の反対側に回して湯を吐出する場合、水吐出の場合と同じ操作量で反対側に回しやすい。従って、高温の湯が大量に無駄に吐出されやすく、エネルギー浪費に拍車がかかるおそれがある。
【０００６】
この発明は、このような従来の技術に存在する問題点に着目してなされたものである。その目的は、給湯エネルギーの浪費を抑えることができるシングルレバー水栓を提供することにある。
【課題を解決するための手段】
【０００７】
上記の目的を達成するために、本発明においては、操作レバーが左右方向における回動範囲の中央位置と一側の水吐出領域とに位置したときに水が、前記回動範囲の他側の混合水領域に位置したときに湯水混合水が、操作レバーが前記水吐出領域の反対側であって前記混合水吐出領域の外側に位置したときに湯がそれぞれ吐出されるように流路を設定するための弁機構を設けたシングルレバー水栓において、前記水吐出領域と混合水吐出領域の角度範囲を等しくし、前記操作レバーが混合水吐出領域と湯吐出領域との間の境界を越える際にクリック感を発生させるためのクリック手段を設けたことを特徴としている。
【０００８】
以上のように構成すれば、湯吐出の場合、操作レバーを混合水吐出領域を越えて大きく左側に回動させる必要があるため、使用者は湯吐出状態であることを明確に認識できる。このため、操作レバーを不用意に湯吐出領域に移動させてしまうおそれが減少され、給湯エネルギーの浪費防止に有効である。また、操作レバーが湯吐出領域と混合水吐出領域との間の境界を越えるときには、クリックが発生されるため、使用者は操作レバーが湯吐出領域に進入したこと、湯吐出領域から離脱したことを明確に認識できて、湯の無駄な吐出を避けることができる。
【発明の効果】
【０００９】
本発明によれば、給湯エネルギーの浪費を回避できる効果がある。
【図面の簡単な説明】
【００１０】
【図１】実施形態のシングルレバー水栓を示す断面図。
【図２】図１のシングルレバー水栓の要部分解斜視図。
【図３】図１の３−３線における部分拡大断面図。
【図４】図１のシングルレバー水栓のベース部材を拡大して示す斜視図。
【図５】シングルレバー水栓の弁機構を分解して示す斜視図。
【図６】図５の弁機構の固定弁及び可動弁を拡大して示す分解斜視図。
【図７】図１の水栓の弁ケースを拡大して示す斜視図。
【図８】サブクリック機構を示す簡略断面図。
【図９】メインのクリック機構を示す断面図。
【図１０】固定弁体の平面図。
【図１１】通水孔の形状を模式的に示す線図。
【図１２】固定弁体と可動弁体との組付け状態を示す平面図。
【図１３】操作レバーの水平方向の回動範囲を示す平面図。
【図１４】止水時における可動弁体の位置を示す平面図。
【図１５】最多吐水量時における可動弁体の位置を示す平面図。
【図１６】中間吐水量時における可動弁体の位置を示す平面図。
【発明を実施するための形態】
【００１１】
以下に、この発明を具体化したシングルレバー水栓の実施形態を図面に従って説明する。
図１〜図４に示すように、この実施形態のシングルレバー水栓のベース部材１１の上部外周にはネジ部１２が形成されるとともに、上端には一対の位置決め凹部１３が形成されている。
【００１２】
図１に示すように、ベース部材１１の下端には、螺子軸１４が固定されている。そして、ベース部材１１を流し台の天板等の取付板１６上に配置した状態で、取付板１６の裏面側において螺子軸１４に締付体１５を外嵌するとともに、雌ネジ体１５ａを螺子軸１４に螺着することにより、ベース部材１１が取付板１６上に固定される。
【００１３】
図２〜図４に示すように、前記ベース部材１１には、給水通路１７及び給湯通路１８が貫設されている。給水通路１７及び給湯通路１８の下端開口部にはそれぞれ図示しない給水源及び給湯源に接続された給水管２０及び給湯管２１が連結されている。
【００１４】
図１に示すように、ベース部材１１の上端とその下部の外周との間には、吐水通路１９が貫設されている。吐水通路１９の外周側の開口部に対応するように、ベース部材１１の外周には下部ケース２２が水平面内で回動可能に取り付けられ、その一部には吐水通路１９と連通する吐水管２２ａが突設されている。この吐水通路１９からの水，湯及び湯水混合水が吐水管２２ａを経て外部に放出される。
【００１５】
図１及び図２に示すように、前記ベース部材１１の上部にはユニット化された弁機構２３が設置され、この弁機構２３を収容する収容筒２４がベース部材１１のネジ部１２に螺着されている。図１，図２及び図５に示すように、弁機構２３は、下部弁ケース２５と、その下部弁ケース２５上に突起２６ｂと凹部２５ｃとの係合によって取り付けられた中間部弁ケース２６と、この中間部弁ケース２６の上部に突起５０ａと凹部２６ｃとの係合によって取り付けられた上部弁ケース５０とを備えている。
【００１６】
図１，図３及び図５に示すように、前記下部弁ケース２５の底壁には、ベース部材１１の給水通路１７に連通する給水口２９、及びベース部材１１の給湯通路１８に連通する給湯口３０が隣接して形成されるとともに、ベース部材１１の吐水通路１９に連通する吐水口３１が形成されている。前記給水口２９及び給湯口３０の下端開口部２９ａ，３０ａには、パッキン３２がそれぞれ取り付けられている。図７に示すように、下部弁ケース２５の下面には、一対の位置決め突起３３が突設されている。そして、図１及び図２に示すように、この位置決め突起３３がベース部材１１の前記位置決め凹部１３に係合されることによって、下部弁ケース２５の給水口２９、給湯口３０及び吐水口３１がベース部材１１の給水通路１７、給湯通路１８及び吐水通路１９にそれぞれ接続されている。
【００１７】
前記弁機構２３は、下部弁ケース２５内において突起２５ａと凹部２７ａとの係合により固定された固定弁体２７と、同じく下部弁ケース２５内において固定弁体２７上に位置し、水平方向へ摺動可能な可動弁体２８とを備えている。固定弁体２７及び可動弁体２８は、高い耐摩耗性を得るためにセラミックにより形成されている。可動弁体２８の上面には支持体２８ａが固定されている。
【００１８】
図５，図６及び図１０に示すように、前記固定弁体２７には、四半円弧状の通水孔３４及び同じく四半円弧状の通湯孔３５がほぼ同一円周上において形成されている。固定弁体２７上の通水孔３４と通湯孔３５との間の位置には、ほぼ半円状の吐水孔３６が形成されている。これらの通水孔３４、通湯孔３５及び吐水孔３６は、前記下部弁ケース２５における給水口２９、給湯口３０及び吐水口３１にパッキン２５ｂを介して連通されている。
【００１９】
前記可動弁体２８には連通孔３７が形成され、その連通孔３７には通水音を低減させるための網体３８が取り付けられている。前記支持体２８ａは固定弁体２７の上面を閉塞して、連通孔３７の上部側に流路を画定している。そして、前記ベース部材１１の給水管２０からの水が下部弁ケース２５の給水口２９を経て固定弁体２７の通水孔３４に到る。また、ベース部材１１の給湯管２１からの湯が下部弁ケース２５の給湯口３０を経て固定弁体２７の通湯孔３５に到る。通水孔３４からの水及び通湯孔３５からの湯は可動弁体２８の連通孔３７を介して固定弁体２７の吐水孔３６、下部弁ケース２５の吐水口３１、ベース部材１１の吐水通路１９を経て吐水管２２ａに導かれる。
【００２０】
図１及び図５に示すように、中間部弁ケース２６の上部内側には軸支体２６ａが設けられ、この軸支体２６ａは中間部弁ケース２６の中心軸線Ｌ１を中心にして水平面内において回動可能である。前記軸支体２６ａの内側には、連結片３９が支軸４０を介して鉛直面内において回動可能に取り付けられている。連結片３９の上端には、操作レバー４１が固定されている。このため、操作レバー４１は、支軸４０を中心にして上下方向へ回動操作可能であるとともに、中間部弁ケース２６の中心軸線Ｌ１を中心にして水平面内において左右方向へ回動操作可能である。連結片３９は前記支持体２８ａを介して可動弁体２８に連結されている。
【００２１】
図１，図５及び図８に示すように、前記上部弁ケース５０上には蓋部材５５が水平面内において回転可能に支持されている。蓋部材５５には前記連結片３９が上方へ突出するための開口５６が形成されている。この開口５６の両側には円弧面５７が形成されるとともに、この円弧面５７にはそれぞれサブクリック手段を構成する突条５８が形成されるとともに、円弧面５７の端縁には壁部５９が形成されている。
【００２２】
前記連結片３９には長孔３９ａが貫設されるとともに、収容孔３９ｂが形成されている。長孔３９ａ内にはサブクリック手段を構成するピン４３が挿通され、その両端部が外部に突出している。前記収容孔３９ｂ内にはスプリング４４が収容されており、このスプリング４４は収容孔３９ｂの上端のネジ部に螺合されたネジ４５と前記ピンとの間に位置している。そして、スプリング４４によってピン４３が前記円弧面５７に向かって付勢されている。
【００２３】
そして、操作レバー４１の上下方向の回動操作によりピン４３が円弧面５７上を壁部５９によって案内されながら摺動されるとともに、ピン４３が前記突条５８を乗り越えることによりクリック感が発生される。操作レバー４１の水平面内の左右方向への回動により連結片３９を介して前記軸支体２６ａが一体に水平面内において回転される。また、連結片３９の水平面内の回動により、蓋部材５５も同方向に回転される。さらに、操作レバー４１の前後方向、つまり上下方向の回動及び水平面内の左右方向の回動により、連結片３９及び支持体２８ａを介して可動弁体２８が固定弁体２７上において前後左右に移動される。
【００２４】
図５及び図９に示すように、前記上部弁ケース５０の内周面にはクリック手段を構成する複数の突条５１が形成されている。前記蓋部材５５にはスプリング５２によって外方へ付勢されたクリック手段を構成する円柱状の係合子５３が設けられており、この係合子５３が前記突条５１を乗り越える際にクリック感が発生される。
【００２５】
図１３に示すように、前記操作レバー４１の水平方向，すなわち左右方向の回動範囲は、図示しないストッパにより、使用者側である正面側の中央位置Ｃから右側へ５０度、左側へ６０度の範囲に設定されている。また、操作レバー４１が中央位置Ｃ及び左側の５０度の位置を通過して同中央位置Ｃを越えることにより、前記突条５１と係合子５３とによって前記のクリック感が発生される。なお、図１３から明らかなように、操作レバー４１が正面側の中央に配置されたときに、前記中央位置Ｃは僅かに左側に変位しており、この変位については後述する。
【００２６】
図１０及び図１１に示すように、前記固定弁体２７の通水孔３４は前部側（図１０の下部側）に向かって徐々に幅が狭く形成されている。なお、図１１は、通水孔３４の開口幅の変化度合いを模式的に示したものである。通水孔３４の前端，すなわち正面側の端部には上方に向かって広がる斜面３４ａが形成されている。
【００２７】
図１２に示すように、前記可動弁体２８の連通孔３７の前縁には張出し部３７ａが形成されている。
そして、操作レバー４１が下方回動状態のときには、連結片３９の垂直面内における回動を介して、図１２及び図１４に示すように、可動弁体２８が後方（図１４の上方）に配置される。この状態においては、操作レバー４１の水平面内における左右方向への回動によって可動弁体２８が水平方向に回動された場合、連通孔３７の回動範囲が通水孔３４及び通湯孔３５から外れた位置になる。従って、この場合は止水状態に維持される。
【００２８】
また、操作レバー４１が上方回動状態のときには、連結片３９の垂直面内における回動により、図１５及び図１６に示すように、可動弁体２８が前方に移動される。このため、可動弁体２８の水平回動にともなう連通孔３７の回動範囲が通水孔３４及び通湯孔３５と重なり、通水孔３４及び通湯孔３５の少なくとも一方と吐水孔３６とが連通孔３７を介して連通して、水，湯または湯水混合水の吐出状態になる。
【００２９】
すなわち、図１２，図１５及び図１６に示すように、操作レバー４１が左右方向の中央に位置したとき（図１３の実線位置）には、通水孔３４に連通孔３７が重なる一方、前記張出し部３７ａによって通湯孔３５が閉鎖される。従って、この状態で水が吐出可能になる。このとき、操作レバー４１が配置上の中央となるが、通水孔３４がその中央から僅かに偏倚した中央位置Ｃに配置される。以後、この位置を操作レバー４１においても中央位置Ｃとする。操作レバー４１が前記中央位置Ｃから右側に回動された場合には、連通孔３７が通水孔３４に重なる状態が維持され、水の吐出可能状態が維持される。従って、正面側の中央位置Ｃから右側は水吐出領域であり、その範囲は中央位置Ｃから右側へ操作レバー４１の中心角５０度となっている。
【００３０】
操作レバー４１が前記中央位置Ｃから左側に回動された場合には、図１５及び図１６に示すように、連通孔３７が通湯孔３５と重なる領域に移動される。このとき、操作レバー４１が前記中央位置Ｃから５０度の範囲内に位置する状態においては連通孔３７は通湯孔３５及び通水孔３４の双方と重なるため、湯水混合水が吐出される。従って、操作レバー４１の中央位置Ｃから左側へ中心角５０度の範囲は混合水吐出領域となっている。
【００３１】
さらに、操作レバー４１が混合水吐出領域からさらに左側に回動されると、図１５及び図１６に示すように、連通孔３７は通水孔３４から外れて通湯孔３５のみと重なる。このため、湯が吐出される状態となる。連通孔３７が通湯孔３５のみと重なる範囲は、中心角１０度に設定されている。従って、混合水吐出領域から外側の１０度の範囲は湯吐出領域である。
【００３２】
そして、操作レバー４１の水平方向への回動操作により、可動弁体２８が水吐出領域と混合水吐出領域との間の境界、すなわち正面側の中央位置Ｃ、混合水吐出領域と湯吐出領域との間の境界を越えるときには、前記クリック感が発生される。
【００３３】
このとき、操作レバー４１の上下方向の回動角度に応じて可動弁体２８の前後位置が調節されて、連通孔３７と通水孔３４及び通湯孔３５と重なり度合いが調節され、その結果、吐出水量が調節される。そして、操作レバー４１が最多水量の位置，つまり最も起立する位置に配置されたときに、前記ピン４３が突条５８に係合して、突条５１と係合子５３とによってクリック感が発生される。
【００３４】
次に、前記のように構成されたシングルレバー水栓の作用を説明する。
図１３の実線及び図１４〜図１６の各「中央」において示された図は、操作レバー４１が左右方向の中央位置Ｃに配置された状態を示すものである。この状態において、操作レバー４１が支軸４０を中心に使用者の最も手前側に下方回動されたときには、連結片３９及び支持体２８ａを介して可動弁体２８が水平面内で図１４の上方に直線的に移動される。この可動弁体２８の直線移動により、図１４の「中央」に示すように、固定弁体２７の通水孔３４及び通湯孔３５が可動弁体２８によって閉鎖されて、止水状態となる。また、この状態で、操作レバー４１が左右いずれかに、水平面内で回転されても、図１４から明らかなように、通水孔３４及び通湯孔３５の閉鎖状態が維持されて、止水状態が継続される。
【００３５】
操作レバー４１が最も後方の奥側に上方回動された状態においては、図１５に示すように、可動弁体２８が同図の下側に移動される。このため、図１５に示すように、可動弁体２８が同図の下方へ直線的に移動される。そして、このとき、操作レバー４１が図１３の中央位置Ｃにあるときには、図１５の「中央」に示すように、張出し部３７ａによって通湯孔３５が閉鎖されるとともに、通水孔３４と吐水孔３６とが連通孔３７を介して連通されて、水が吐出される。
【００３６】
また、操作レバー４１が中間部弁ケース２６の中心軸線Ｌ１を中心に左右いずれかの方向へ回動操作されたときには、連結片３９及び支持体２８ａを介して可動弁体２８が水平面内で回動される。図１５に示すように、操作レバー４１が図１３に示す水吐出領域に回動された際には、図１５の「水」に示すように、可動弁体２８が通水孔３４側に移動されて、水吐出状態が維持される。
【００３７】
操作レバー４１が混合水吐出領域に移動されたときには、可動弁体２８が通湯孔３５側に移動されて、連通孔３７が通湯孔３５、通水孔３４、吐水孔３６の三者に跨る。このため、水と湯との混合水が吐出される。
【００３８】
さらに、操作レバー４１が湯吐出領域に回動された際には、連通孔３７が通湯孔３５上に位置して連通孔３７を介して通湯孔３５と吐水孔３６とが連通されるとともに、可動弁体２８によって通水孔３４が閉鎖される。このため、湯が吐出される。
【００３９】
操作レバー４１が下方位置と上方位置との間に位置した際には、図１６に示すように、通水孔３４及び通湯孔３５に連通孔３７と重ならない部分が生じる。従って、その分だけ水量が減少される。つまり、操作レバー４１の上下方向の操作角度に対応した量の吐水が得られる。
【００４０】
ところで、本実施形態においては、湯を吐出させる場合、操作レバー４１が混合水吐出領域の左方にある外側の湯吐出領域に移動される。この場合、湯吐出領域は中央の水吐出領域から中心角５０度の範囲の混合水吐出領域を越えて、その外側に位置するため、使用者は、湯吐出のための領域を明確に確認することができる。さらに、操作レバー４１が混合水吐出領域と湯吐出領域との間の境界を越えるときに、クリック感が発生されるため、操作レバー４１が湯吐出領域に達したことや、湯吐出が終了して混合水吐出領域に戻ったことが明確に確認される。
【００４１】
さらに、通水孔３４が中央位置Ｃに向かって狭くなっているため、水吐出の際には、設定水量の大小に関わらず、操作レバー４１が中央位置Ｃ側に位置するほど水量が少なくなる。例えば、操作レバー４１が最も起立された状態、すなわち、水量最多の状態に対して、操作レバー４１が中央位置Ｃに位置する際には、右端に位置する場合に比較して水量は６０〜７０パーセントである。
【００４２】
従って、この実施形態のシングルレバー水栓によれば、以下のような効果を得ることができる。
（１）湯吐出の場合は、操作レバー４１を混合水吐出領域を越えて大きく左側に回動させる必要があるため、湯吐出状態であることを明確に認識できる。言い換えれば、操作レバー４１を不用意に湯吐出領域に移動させてしまうおそれが減少され、給湯エネルギーの浪費防止に有効である。
【００４３】
（２）混合水吐出領域と水吐出領域とが左右に５０度ずつ対称状に配置され、湯吐出領域は混合水吐出領域の外側に配置されている。従って、操作レバー４１を湯吐出領域まで回動させることは、使用者に対して混合水吐出の場合と異なる感覚を与えることになり、使用者は操作レバー４１が湯吐出領域に移行したことを適切に認識できる。従って、湯の不要な吐出を減らすことができる。
【００４４】
（３）しかも、操作レバー４１が湯吐出領域と混合水吐出領域との間の境界を越えるときには、クリックが発生されるため、使用者は操作レバー４１が湯吐出領域に進入したこと、湯吐出領域から離脱したことを明確に認識できる。
【００４５】
（４）操作レバー４１が正面側に位置したときにクリックが発生されるため、使用者は操作レバー４１が中央に位置したことを適切に認識できる。従って、正面側の位置において、迷うことなく水を吐出でき、給湯エネルギーの浪費防止に有効である。
【００４６】
（５）通水孔３４の中央側に上方へ広がる斜面３４ａが形成されているため、操作レバー４１が混合水吐出領域から湯吐出領域に移動して、可動弁体２８の連通孔３７が通水孔３４から離れる際に、前記斜面３４ａにより水の流れが徐々に絞られる。従って、弁機構２３に対する負荷の急激な変動が抑えられるとともに、ウォーターハンマーの発生を回避できる。
【００４７】
（変更例）
なお、この実施形態は、次のように変更して具体化することも可能である。
・操作レバー４１の中央位置Ｃを前記実施形態に構成に対して左右いずれかの方向においてある程度ずれた角度（例えば、実施形態の構成に対して中心角１０度以下程度）の位置とすること。
【００４８】
・水吐出領域及び混合水吐出領域の範囲を５０度以外にすること。この場合、４０度〜６０度の範囲内が好ましい。
・湯吐出領域の角度範囲を１０度以外にすること。この場合、５度〜２０度の範囲内が好ましい。
【００４９】
・給水管２０及び給湯管２１の接続関係を入れ換えるとともに、可動弁体２８の通水孔３４及び通湯孔３５の配置関係を入れ換えて、操作レバー４１の水吐出領域と混合水吐出領域及び湯吐出領域との配置を左右反転させること。
【符号の説明】
【００５０】
１１…ベース部材、２３…弁機構、２５…下部弁ケース、２７…固定弁体、２８…可動弁体、３１…吐水口、３４…通水孔、３５…通湯孔、３６…吐出孔、３７…連通孔、４１…操作レバー。
【図１】
2015227534.tif 000003
【図２】
2015227534.tif 000004
【図３】
2015227534.tif 000005
【図４】
2015227534.tif 000006
【図５】
2015227534.tif 000007
【図６】
2015227534.tif 000008
【図７】
2015227534.tif 000009
【図８】
2015227534.tif 000010
【図９】
2015227534.tif 000011
【図１０】
2015227534.tif 000012
【図１１】
2015227534.tif 000013
【図１２】
2015227534.tif 000014
【図１３】
2015227534.tif 000015
【図１４】
2015227534.tif 000016
【図１５】
2015227534.tif 000017
【図１６】
2015227534.tif 000018